(57)【要約】【課題】  使い勝手に優れ、メモリの節約を図ることが可能なファクシミリ装置を提供する。【解決手段】  クライアントから依頼された複数の宛先への同報送信を宛先ごとの送付状で送信できるファクシミリ装置において、ファイルのハンドリング方式に関して、送信待機中に宛先を追加した場合には、その宛先に対してダミーの送付状ファイルを挿入し送信する制御を行う主制御部１を備えた。【選択図】        図１
2005210532.tif 000002
【特許請求の範囲】
【請求項１】
クライアントから依頼された複数の宛先への同報送信を宛先ごとの送付状で送信できるファクシミリ装置において、ファイルのハンドリング方式に関して、送信待機中に宛先を追加した場合には、当該宛先に対してダミーの送付状ファイルを挿入し送信するように制御を行う主制御部を備えたことを特徴とするファクシミリ装置。
【請求項２】
クライアントから依頼された複数の宛先への同報送信を宛先ごとの送付状で送信できるファクシミリ装置において、ファイルのハンドリング方式に関して、送信待機中に宛先を追加した場合には、当該宛先に対して送付状ページを付加せずに送信するように制御を行う主制御部を備えたことを特徴とするファクシミリ装置。
【請求項３】
クライアントから依頼された複数の宛先への同報送信を宛先ごとの送付状で送信できるファクシミリ装置において、ファイルのハンドリング方式に関して、送信待機中に宛先を削除した場合には、当該宛先に対応する送付状ページを削除するように制御を行う主制御部を備えたことを特徴とするファクシミリ装置。
【請求項４】
クライアントから依頼された複数の宛先への同報送信を宛先ごとの送付状で送信できるファクシミリ装置において、ファイルのハンドリング方式に関して、送信待機中に宛先を変更した場合には、当該宛先に対応する送付状ページを削除するか否か選択するように制御を行う主制御部を備えたことを特徴とするファクシミリ装置。
【請求項５】
クライアントから依頼された複数の宛先への同報送信を宛先ごとの送付状で送信できるファクシミリ装置において、ファイルのハンドリング方式に関して、送信終了した時点で、宛先に対応する送付状ページを削除するように制御を行う主制御部を備えたことを特徴とするファクシミリ装置。
【発明の詳細な説明】
【技術分野】
【０００１】
本発明は、ファクシミリ装置に関し、さらに詳しくは、同報送信の宛先ごとの送付状で送信できるファクシミリ装置において、ファイルのハンドリング方式に関するものである。
【背景技術】
【０００２】
クライアントから依頼された複数の宛先への同報送信を宛先ごとの送付状で送信できるファクシミリ装置に関連して、例えば、特許文献１では、送信依頼した時点に関して、宛先ごとに別々の送付状が送られる技術が提案されている。
【特許文献１】特開２００２−０１００５１公報
【発明の開示】
【発明が解決しようとする課題】
【０００３】
しかしながら、特開２００２−０１００５１号公報では、ファクシミリ装置に依頼したあとに、ファクシミリ装置の操作部から宛先の追加、変更、および削除した場合の制御に関しては触れられていない。また、送付状の画像データは、送信が終了すれば不要になる。全宛先の送信を終了するのを待ってから送付状画像データを削除するので、メモリの使用効率に無駄が多いといった問題がある。
本発明は、使い勝手に優れ、メモリの節約を図ることが可能なファクシミリ装置を提供することを目的とする。
【課題を解決するための手段】
【０００４】
上記目的を達成するために、請求項１記載の発明は、クライアントから依頼された複数の宛先への同報送信を宛先ごとの送付状で送信できるファクシミリ装置において、ファイルのハンドリング方式に関して、送信待機中に宛先を追加した場合には、その宛先に対してダミーの送付状ファイルを挿入し送信する制御を行う主制御部を備えたファクシミリ装置を最も主要な特徴とする。
請求項２記載の発明は、クライアントから依頼された複数の宛先への同報送信を宛先ごとの送付状で送信できるファクシミリ装置において、ファイルのハンドリング方式に関して、送信待機中に宛先を追加した場合には、その宛先に対して送付状ページを付加せずに送信する制御を行う主制御部を備えたファクシミリ装置を最も主要な特徴とする。
請求項３記載の発明は、クライアントから依頼された複数の宛先への同報送信を宛先ごとの送付状で送信できるファクシミリ装置において、ファイルのハンドリング方式に関して、送信待機中に宛先を削除した場合には、その宛先に対応する送付状ページを削除する制御を行う主制御部を備えたファクシミリ装置を最も主要な特徴とする。
請求項４記載の発明は、クライアントから依頼された複数の宛先への同報送信を宛先ごとの送付状で送信できるファクシミリ装置において、ファイルのハンドリング方式に関して、送信待機中に宛先を変更した場合には、その宛先に対応する送付状ページを削除するか否か選択する制御を行う主制御部を備えたファクシミリ装置を最も主要な特徴とする。
請求項５記載の発明は、クライアントから依頼された複数の宛先への同報送信を宛先ごとの送付状で送信できるファクシミリ装置において、ファイルのハンドリング方式に関して、送信終了した時点で、宛先に対応する送付状ページを削除する制御を行う主制御部を備えたファクシミリ装置を最も主要な特徴とする。
【発明の効果】
【０００５】
本発明によれば、送信待機、送信終了時点での、宛先の追加、削除、変更が可能になるので、使い勝手がよい。また、共用ダミー送付状を用いることでメモリの節約が可能になる。
【発明を実施するための最良の形態】
【０００６】
以下、図面を参照して本発明の実施形態を詳細に説明する。
図１は本発明の実施の形態に係るファクシミリ装置の機能ブロック図である。本ファクシミリ装置は、主制御部１に対して、操作制御部２、表示制御部３、Ｇ３／Ｇ４制御部４、圧縮伸張制御部５、プロッタ制御部６、スキャナ制御部７、宛先管理部８、ジョブ制御部９、ファイル管理部１０、ダミー送付状制御部１１、レポート制御部１２、内部スイッチ１３、ネットワーク制御部１４、ページフレーム制御部１５が接続されることによって構成される。
図２は送信待機状態でのファイル管理の説明図である。図２のように、送信ジョブ１と宛先２とその宛先用の送付状画像データ３と本文画像データ４が、リンク関係をもち管理されている。リンク形式は、ファイル管理方式１と２が考えられる。また、ジョブ１には、発信時刻、送信者名称などが記憶されている。宛先２には、ファクス番号、回線指定種別、発呼回数などが記憶されている。
図３は送信待機状態で宛先を追加した場合のファイル管理（その１）の説明図である。送信待機状態において、ユーザーが宛先Ｃ２ａを追加する場合には、下記方式が考えられる。
ファイル管理方式１では、ダミー送付状生成部３ａにおいてダミー送付状Ｃを作成し、宛先とリンクする。ファイル管理方式２では、さらにダミー送付状３ａと本文４をリンクする。
しかしながら、ファクシミリ装置内の送付状画像メモリ領域の制限があるので、宛先の追加が多い場合には、専用のダミー送付状が用意できない。そこで、固定で共用のダミー送付状を装置内に保存しておくことによって、メモリの節約が可能である。
図４は送信待機状態で宛先を追加した場合のファイル管理（その２）の説明図である。このときの、ファイル管理は、図４のようになる。ここで、ファイル管理方式２の場合、ダミー送付状から本文にリンクすることになるが、別ジョブも同じ共用のダミー送付状３ｂを使用することになるので、管理ができない。
【０００７】
図５は送信待機状態で宛先を追加した場合のファイル管理（その３）の説明図である。追加宛先に対しては、送付状を送らない場合は、図５のようにファイルを管理する。
図６は送信待機状態で宛先を削除した場合のファイル管理（その１）の説明図である。送信待機状態で、宛先を削除する場合は、リンクされている送付状画像も削除する。もしくは、宛先に有効／無効のフラグが用意されている場合は、フラグを無効にすることによって、発呼の対象から外すことも可能である。
図７は送信待機状態で宛先を削除した場合のファイル管理（その２）の説明図である。共用の送付状を持つ方式の場合は、共用ダミー送付状とリンクする宛先が他にある場合は、ダミー送付状を削除することができない。また、ダミー送付状とリンクする宛先がすべて削除されても、ダミー送付状は削除する必要はない。
図８は送信待機状態で宛先を変更したときに送付状を無効にする場合のファイル管理の説明図である。宛先の変更の場合は、その送付状を有効にしたい場合もあるし、無効にしたい場合もある。
ユーザーのオペレーションで有効を指示される場合は、ファイルの管理の変更はない。専用送付状の場合は、その送付状を削除する、もしくは宛先に送付状有効／無効フラグがある場合は、無効にする。共用の送付状の場合は、リンクをきる。もしくは、宛先に送付状有効／無効フラグがある場合は、無効にする。
送信終了した時点で、宛先や送付状ファイルは不要になる。また全宛先が送信終了した、本文およびジョブ自体も不要になる。送信終了時の宛先や送付状ファイルの削除は、送信待機時のオペレーションでの宛先削除と同じファイル管理を行えばよい。
【図面の簡単な説明】
【０００８】
【図１】本発明の実施の形態に係るファクシミリ装置の機能ブロック図。
【図２】送信待機状態でのファイル管理の説明図。
【図３】送信待機状態で宛先を追加した場合のファイル管理（その１）の説明図。
【図４】送信待機状態で宛先を追加した場合のファイル管理（その２）の説明図。
【図５】送信待機状態で宛先を追加した場合のファイル管理（その３）の説明図。
【図６】送信待機状態で宛先を削除した場合のファイル管理（その１）の説明図。
【図７】送信待機状態で宛先を削除した場合のファイル管理（その２）の説明図。
【図８】送信待機状態で宛先を変更したときに送付状を無効にする場合のファイル管理の説明図。
【符号の説明】
【０００９】
１  主制御部、２  操作制御部、３  表示制御部、４  Ｇ３／Ｇ４制御部、５  圧縮伸張制御部、６  プロッタ制御部、７  スキャナ制御部、８  宛先管理部、９  ジョブ制御部、１０  ファイル管理部、１１  ダミー送付状制御部、１２  レポート制御部、１３  内部スイッチ、１４  ネットワーク制御部、１５  ページフレーム制御部
【図１】
2005210532.tif 000003
【図２】
2005210532.tif 000004
【図３】
2005210532.tif 000005
【図４】
2005210532.tif 000006
【図５】
2005210532.tif 000007
【図６】
2005210532.tif 000008
【図７】
2005210532.tif 000009
【図８】
2005210532.tif 000010